(57)【要約】      （修正有）【課題】常時ローラーを身に付けることができ、いつでもどこでも必要に応じて肌にローラーをあてることが可能で且つ意匠性の高いペンダントを提供する。【解決手段】ペンダント１は、環状の索条体３と、索条体３に取り付けた装飾体５と、ローラー７とを備え、ローラー７は中空を有する円筒形状のローラー本体と、ローラー本体の中空内に挿入された軸部材とを有し、軸部材に対してローラー本体が回転自在であり、装飾体５には対向して設けた一対の爪部１３ａ、１３ｂが一体に形成してあり、軸部材の両端に装飾体５の爪部１３ａ、１３ｂをかしめ固定してある。【選択図】図１
0003179407.tif 000002
【実用新案登録請求の範囲】
【請求項１】
環状の索条体と、索条体に取り付けた装飾体と、ローラーとを備え、ローラーは中空を有する円筒形状のローラー本体と、ローラー本体の中空内に挿入された軸部材とを有し、軸部材に対してローラー本体が回転自在であり、装飾体には対向して設けた一対の爪部が一体に形成してあり、軸部材の両端に装飾体の爪部をかしめ固定してあることを特徴するペンダント。
【請求項２】
軸部材は樹脂材製で且つ中空を有し、爪部は軸部材の中空内に嵌合してあり、装飾体は金属板であることを特徴とする請求項１に記載のペンダント。
【請求項３】
ローラーの外周面には希土類金属又は希土類金属酸化物がコーティングしてあることを特徴とする請求項２に記載のペンダント。
【考案の詳細な説明】
【技術分野】
【０００１】
本考案は、首回りかける身飾品としてのペンダントに関する。
【背景技術】
【０００２】
特許文献１には、環状の索条体に装飾体を取り付けたペンダントが開示されている。一方、ローラーを肌にあてて、マッサージや美容を図る美容機器が公知であるが、かかるローラーは支持具で回転自在に支持してあり、美容機器として所定の大きさを有するものであるから、そのまま持ち歩くのに適さず、持ち歩く場合には、例えば、バック等にいれて携帯していた。
【先行技術文献】
【特許文献】
【０００３】
【特許文献１】特開２００６−２９６８２８号公報
【考案の概要】
【考案が解決しようとする課題】
【０００４】
これに対して、美容を図るためのローラーを常時持ち歩きたいという要望があった。特に、家の中にいるときに限らず、電車等による移動中や、待ち時間等、いつでもどこでも、気が付いたときにローラーを肌にあてたいという要求が高い。
一方、ペンダントとしての意匠性も高めたいという要求がある。
【０００５】
そこで、本考案は、常時ローラーを身に付けることができ、いつでもどこでも必要に応じて肌にローラーをあてることが可能で且つ意匠性の高いペンダントを提供することを目的とする。
【課題を解決するための手段】
【０００６】
請求項１に記載の考案は、環状の索条体と、索条体に取り付けた装飾体と、ローラーとを備え、ローラーは中空を有する円筒形状のローラー本体と、ローラー本体の中空内に挿入された軸部材とを有し、軸部材に対してローラー本体が回転自在であり、装飾体には対向して設けた一対の爪部が一体に形成してあり、軸部材の両端に装飾体の爪部をかしめ固定してあることを特徴するペンダントである。
【０００７】
請求項２に記載の考案は、請求項１に記載の考案において、軸部材は樹脂材製で且つ中空を有し、爪部は軸部材の中空内に嵌合してあり、装飾体は金属板であることを特徴とする。
【０００８】
請求項３に記載の考案は、請求項２に記載の考案において、ローラーの外周面には希土類金属又は希土類金属酸化物がコーティングしてあることを特徴とする。
【考案の効果】
【０００９】
請求項１に記載の考案によれば、首回りにかけるペンダントにローラーを設けてあるので、常時ローラーを身に付けることができ、いつでもどこでも必要に応じて肌にローラーをあてることができる。
ローラーは、装飾体に一体に形成した爪部を軸部材にかしめ固定してあるから、ローラーの取付けにねじ等の別部材を用いていないので、ペンダント全体としての意匠性が高い。
【００１０】
請求項２に記載の考案によれば、請求項１に記載の効果を奏することができると共に、爪部をかしめ固定する軸部材は中空を有する樹脂材製であり、装飾体と一体に形成した爪部は金属製であるから、軸部材の中空に爪部を嵌め込むだけで容易にかしめ固定でき、製造が容易である。
【００１１】
請求項３に記載の考案によれば、請求項２に記載の効果を奏することができると共に、一般に、希土類金属や希土類金属酸化物（以下「希土類金属等」という）は美肌効果があるから、ローラーを肌にあてることにより美肌効果を高めることができる。
【図面の簡単な説明】
【００１２】
【図１】本考案の実施の形態にかかるペンダントの平面図である。
【図２】図１に示すローラーを取り付けた装飾体の側面図である。
【図３】ローラーの構成を示す図であり、ローラーの分解斜視図である。
【図４】ローラーと爪部とのかしめ固定を説明する図であり、爪部をローラーにかしめる前の状態を示す斜視図である。
【考案を実施するための形態】
【００１３】
以下に添付図面を参照して本考案の実施の形態を詳細に説明する。
図１に示すように、本考案の実施の形態にかかるペンダント１は、索条体３と、装飾体５と、ローラー７で構成されている。
【００１４】
索条体３は、環状を成して首回りにかけるものであり、例えばチェーンである。
【００１５】
装飾体５は、索条体３に取り付ける挿通穴部７を有し、挿通穴部７に索条体３を通してある。装飾体５はいわゆるチャームであり、金属板に彫刻が施されていたり、ガラスや宝石等によりデザインが施されている。本実施の形態では、装飾体５は、平面視略四角形状の銅板を主体としてあり、主体は打ち抜きやプレスにより製造されている。
図１及び図４に示すように、装飾体５の端部には一対の腕部１１ａ、１１ｂが突設して形成されている。腕部１１ａ、１１ｂは互いに間隔をあけて対向してあり、先端を互い対向する側に向けて突設した爪部１３ａ、１３ｂが形成されている。
【００１６】
図１〜図３に示すように、ローラー７は中空１７を有する円筒形状のローラー本体１５と、ローラー本体１５の中空１７内に挿入された軸部材１９とを備えており、軸部材１９に対してローラー本体１５は回転自在になっている。
ローラー本体１５は金属製であり、例えば、銅製である。ローラーの外周面には希土類金属又は希土類金属酸化物（希土類金属等）がコーティングしてある。希土類金属等としては、ロジューム（Ｒｈ）、白金（Ｐｔ）、金（Ａｕ）、ゲルマニウム（Ｇｅ）、チタン（Ｔｉ）、二酸化チタン（ＴｉＯ２）等がある。
【００１７】
軸部材１９は中空２１を有する円筒形状であり、樹脂材製でできている。本実施の形態では、軸部材１９は、一般的に滑りが良好なアクリル製である。図４に示すように、軸部材１９の両端には、中空２１内に装飾体５の爪部１３ａ、１３ｂを嵌合するようにかしめ固定してある。
【００１８】
次に、本実施の形態にかかるペンダント１の製造、作用及び効果について説明する。
図３に示すように、ローラー本体１５の中空１７内に軸部材１９を挿入して、図４に示すように、装飾体５の爪部１３ａ、１３ｂを軸部材１９の対向する端面にあてた後、腕部１１ａ、１１ｂを互い対向する方向にプレスすることにより、爪部１３ａ、１３ｂを軸部材１９の端面の中空２１に嵌め入れて、かしめ固定する。これにより、装飾体５にローラー７を取り付ける。そして、装飾体５の挿通穴部９に索条体３を挿通してペンダント１にする。
ペンダント１は、索条体３を首回りにかけて身に付ける。
【００１９】
ローラー７を使用するときには、装飾体５を手にもって、ローラー７を顔等の肌にあててローラー７を転がすように手を動かす。
【００２０】
本実施の形態によれば、首回りにかけるペンダント１にローラー７を設けてあるので、常時ローラー７を身に付けることができ、いつでもどこでも必要に応じて肌にローラー７をあてることができる。
ローラー７は、装飾体５に一体に形成した爪部１３ａ、１３ｂを軸部材１９にかしめ固定してあるから、ローラー７の取付けにねじ等の別部材を用いていないので、ペンダント全体としての意匠性が高い。
爪部１３ａ、１３ｂをかしめ固定する軸部材１９は、中空２１を有する樹脂材製とし、装飾体５と一体に形成した爪部１３ａ、１３ｂは金属製であるから、軸部材１９の中空に爪部１３ａ、１３ｂを嵌め込むだけで容易にかしめ固定でき、製造が容易である。
ローラー７には外周面に希土類金属等をコーティングしてあるので、美肌効果を促進できる。
【００２１】
本考案は、上述した実施の形態に限らず、本考案の要旨を逸脱しない範囲で種々変形可能である。
例えば、軸部材１９には中空２１を形成しないで、円柱形状の両端に凹みを形成して、凹みに爪部１３ａ、１３ｂを嵌合するものであっても良いし、円柱形状の両端に凹み等を形成しないで、そのまま爪部１３ａ、１３ｂを食い込ませても良い。
索条体３はチェーンに限らず、紐であっても良い。
爪部１３ａ、１３ｂは先端を細くしたり、尖らせてあっても良い。
【符号の説明】
【００２２】
１    ペンダント
３    索条体
５    装飾体
７    ローラー
１３ａ、１３ｂ    爪部
１５  ローラー本体
１９  軸部材
【図１】
0003179407.tif 000003
【図２】
0003179407.tif 000004
【図３】
0003179407.tif 000005
【図４】
0003179407.tif 000006